(57)【要約】【課題】一つの生物処理槽内での担体流動部の生物処理の効率を向上させることができるようにする。【解決手段】散気管１６による曝気により担体１３を被処理水内で流動させる担体流動部６と、散気自在な逆洗管１７を設けて担体１３を逆洗流動可能にした状態で、担体１３を滞留させる濾過部７とを、同じ生物処理槽内に設けてある浄化槽１であって、生物処理槽の上部または下部で横方向に仕切る仕切壁１４を設けて、その仕切壁１４で仕切られた一方側の区画内に、担体滞留部２０を形成し、その担体滞留部２０の下方に逆洗管１７を配置して濾過部７を形成し、他方側の区画内の下部に散気管１６を配置して担体流動部６を形成してある。【選択図】図１
2010201378.tif 000002
【特許請求の範囲】
【請求項１】
散気管による曝気により担体を被処理水内で流動させる担体流動部と、
散気自在な逆洗管を設けて担体を逆洗流動可能にした状態で、担体を滞留させる濾過部とを、同じ生物処理槽内に設けてある浄化槽であって、
前記生物処理槽の上部または下部で横方向に仕切る仕切壁を設けて、
その仕切壁で仕切られた一方側の区画内に、担体滞留部を形成し、
その担体滞留部の下方に前記逆洗管を配置して前記濾過部を形成し、他方側の区画内の下部に前記散気管を配置して前記担体流動部を形成してある浄化槽。
【請求項２】
前記仕切壁に対向した壁面の下部に前記散気管を配置してある請求項１に記載の浄化槽。
【請求項３】
前記担体は略同一の比重を持つ担体から構成してある請求項１または２に記載の浄化槽。
【請求項４】
前記担体を被処理水よりも比重の小さい浮上性の担体から構成し、
仕切壁を生物処理槽の上部に配置して、下部を担体流動連通部に形成し、
仕切壁で仕切られた前記濾過部の上部に排水部を形成してある請求項１〜３のいずれか１項に記載の浄化槽。
【請求項５】
前記担体を被処理水よりも比重の大きい沈降性の担体から構成し、
前記仕切壁を生物処理槽の下部に配置して、上部を担体流動連通部に形成し、
前記仕切壁で仕切られた前記濾過部の下部に排水部を形成してある請求項１〜３のいずれか１項に記載の浄化槽。
【請求項６】
請求項１に記載の浄化槽の運転方法であって、逆洗時に前記逆洗管から散気して、前記担体流動部の担体と前記担体滞留部の担体を入れ替える浄化槽の運転方法。
【発明の詳細な説明】
【技術分野】
【０００１】
散気管による曝気により担体を被処理水内で流動させる担体流動部と、散気自在な逆洗管を設けて担体を逆洗流動可能にした状態で、担体を滞留させる濾過部とを、同じ生物処理槽内に設けてある浄化槽及び浄化槽の運転方法に関する。
【背景技術】
【０００２】
従来、散気管を下部に配置した担体流動部を設け、その担体流動部の更に下方に担体を滞留させた濾過部を配設し、その濾過部の下部に逆洗管を設けてある生物処理槽があった（例えば、特許文献１参照）。
【先行技術文献】
【特許文献】
【０００３】
【特許文献１】特許第３４７１６１９号公報
【発明の概要】
【発明が解決しようとする課題】
【０００４】
上述した従来の浄化槽では、担体流動部で散気管からのエアーレーションによって、担体を流動攪拌させながら担体に付着した微生物と酸素との接触効率を上げて、被処理水の生物処理の効率を上げることができると共に、濾過部でのＳＳ（浮遊懸濁物質、Suspended  Solids）の除去を可能にするものである。
しかしながら、担体流動部での散気管は、濾過部の上方にしか配置できないために、散気管をできるだけ深い位置に配置して、被処理水中への酸素溶解効率を上げたくても限度があるという問題点がある。
【０００５】
従って、本発明の目的は、上記問題点を解消し、一つの生物処理槽内での担体流動部の生物処理の効率を向上させることができるようにすることにある。
【課題を解決するための手段】
【０００６】
本発明の第１の特徴構成は、散気管による曝気により担体を被処理水内で流動させる担体流動部と、散気自在な逆洗管を設けて担体を逆洗流動可能にした状態で、担体を滞留させる濾過部とを、同じ生物処理槽内に設けてある浄化槽であって、前記生物処理槽の上部または下部で横方向に仕切る仕切壁を設けて、その仕切壁で仕切られた一方側の区画内に、担体滞留部を形成し、その担体滞留部の下方に前記逆洗管を配置して前記濾過部を形成し、他方側の区画内の下部に前記散気管を配置して前記担体流動部を形成してあるところにある。
【０００７】
本発明の第１の特徴構成によれば、生物処理槽の上部または下部に横方向に仕切る仕切壁を設けることにより、濾過部と担体流動部とが横方向に並んで配置され、そのために、担体流動部での散気管を、生物処理槽の最下部に配置でき、曝気時の酸素溶解効率が上がる。
従って、生物処理効率を向上させることができる。
その上、濾過部での逆洗時に逆洗管から散気すると、横に並んだ担体流動部の担体と、濾過部の担体とが相互に入り混じって攪拌され、その結果、ＳＳが分離され且つ微生物を十分担持した担体が担体流動部に供給されて、生物処理の効率を上げることができる。
【０００８】
本発明の第２の特徴構成は、前記仕切壁に対向した壁面の下部に前記散気管を配置してあるところにある。
【０００９】
本発明の第２の特徴構成によれば、前記散気管からの散気によって、担体流動部の処理水は上部又は下部で水平方向の流れとなり、仕切壁はその水平方向の流れを遮るように位置するので、担体滞留部に担体が溜りやすくなる。また、逆洗後の担体滞留部での濾過槽の形成が早くなり、濾過性能を損なう虞が無くなる。
【００１０】
本発明の第３の特徴構成は、前記担体は略同一の比重を持つ担体から構成してあるところにある。
【００１１】
本発明の第３の特徴構成によれば、逆洗時には担体滞留部の担体は、担体滞留部から飛び出して担体流動部の担体と混じって攪拌され、逆洗後には適宜担体は担体滞留部に溜まる。つまり、担体流動部と担体滞留部の担体が交換されることとなり、担体滞留部の担体に付着した汚泥が逆洗時および担体流動部で流動することにより、剥離し再度生物処理されるので、生物処理の効率を向上させることができると共に、濾過機能を適切に維持することができる。
【００１２】
本発明の第４の特徴構成は、前記担体を被処理水よりも比重の小さい浮上性の担体から構成し、仕切壁を生物処理槽の上部に配置して、下部を担体流動連通部に形成し、前記仕切壁で仕切られた前記濾過部の上部に排水部を形成してあるところにある。
【００１３】
本発明の第４の特徴構成によれば、濾過部の担体を逆洗時に流動させると、担体で補足されたＳＳが担体から分離して沈降分離しやすく、濾過部の洗浄効率を向上させやすくなる。
【００１４】
本発明の第５の特徴構成は、前記担体を被処理水よりも比重の大きい沈降性の担体から構成し、前記仕切壁を生物処理槽の下部に配置して、上部を担体流動連通部に形成し、前記仕切壁で仕切られた前記濾過部の下部に排水部を形成してあることにある。
【００１５】
本発明の第５の特徴構成によれば、担体流動部での担体を散気管からのエアーにより上下に大きく流動させやすく、担体に担持された微生物と酸素との接触効率と、担体と被処理水との接触効率の両方が向上するようになる。
【００１６】
本発明の第６の特徴構成は、逆洗時に前記逆洗管から散気して、前記担体流動部の担体と前記担体滞留部の担体を入れ替える浄化槽の運転方法にある。
【００１７】
本発明の第６の特徴構成によれば、担体流動部と担体滞留部の担体を交換することで、担体滞留部の担体に付着した汚泥が逆洗時および担体流動部で流動することにより剥離し再度好気処理されるので、生物処理の効率を向上させることができるとともに、濾過機能を適切に維持することができる。
【図面の簡単な説明】
【００１８】
【図１】実施形態の全体縦断正面図
【図２】実施形態の全体横断平面図
【図３】図２のIII-III縦断面図
【図４】図２のIV-IV縦断面図
【図５】（a）担体流動部における曝気状態を示す作用図、(b)逆洗状態を示す作用図
【図６】別実施形態の作用図を示し、（a）は曝気状態による担体流動状態図、(b)は逆洗時の作用図
【図７】別実施形態の作用図を示し、（a）は曝気状態による担体流動状態図、(b)は逆洗時の作用図
【図８】別実施形態の要部平面図
【図９】別実施形態の要部平面図
【発明を実施するための形態】
【００１９】
以下に本発明の実施の形態を図面に基づいて説明する。
図１〜図５に基づき基本構造を説明すると、浄化槽１の両端に設けられた原水の流入口２から処理水の流出口３にかけて、第１嫌気濾床槽４、第２嫌気濾床槽５、好気性の生物処理槽として担体流動部６と、濾過部７を設け、濾過部７の下流に消毒槽８を設けてある。
【００２０】
前記第１嫌気濾床槽４には、第１接触濾材９を設けてあり、第２嫌気濾床槽５にも第２接触濾材１０が設けられている。
１１は、第１嫌気濾床槽４から第２嫌気濾床槽５に被処理水がオーバーフローにより移流する第１移流口で、１２は第２嫌気濾床槽５から担体流動部６に被処理水がオーバーフローにより移流する第２移流口を示す。
【００２１】
前記生物処理槽には、水よりもやや比重の小さい浮上性の担体１３が投入してあり、上部に横方向に２区画に仕切る仕切壁１４を設け、下部に担体流動連通部１５を設けて、上流側の区画に担体流動部６を下流側の別の区画に濾過部７を形成してある。
前記担体流動部６の底部に曝気用の散気管１６を設け、担体１３が上下に流動して、担体１３に担持した微生物が曝気されたエアーからの酸素との接触によって、好気性処理が活発になりながら被処理水中の有機物を良好に分解するように構成してあると共に、下方の被処理水を第１嫌気濾床槽４に返送するエアーリフト式の返送管１９を設けて、担体流動部６内の汚泥が極力少なくなるようにしてある。
前記濾過部７は、下方に逆洗管１７を配置して、逆洗時以外は散気せずに上部に担体滞留部２０が形成され、その担体滞留部２０の上部に、消毒槽８に連通する濾過処理水の排水部１８を設けてある。
【００２２】
前記散気管１６は、仕切壁１４に対向する壁面に沿うように設けられている。このようにすると、被処理水の散気による上昇流は、水面近くで水平方向の流れとなるが、仕切壁１４に遮られ、仕切壁１４の下方を底部に向かって流れていく循環流となる。このため、担体滞留部２０には担体１３が滞留しやすくなっている。
【００２３】
つまり、流入口２から流入した原水は、第１嫌気濾床槽４及び第２嫌気濾床槽５を通って、原水中の有機物の一部が嫌気性菌により分解され、生物処理槽に第２移流口１２を介して流入する。そして、生物処理槽において通常時には、図１〜図５（a）に示すように、担体流動部６で散気管１６からの曝気により担体１３が流動する流動槽が形成され、担体流動部６で好気処理された被処理水が、担体流動連通部１５を通って濾過部７に流入し、その濾過部７では、仕切壁１４で仕切られた上部の担体滞留部２０を、処理水が通ってＳＳの除去をされながら濾過されて、排水部１８を通過して消毒槽８に流入する。
消毒槽８に流入した処理水には、消毒剤が供給されて消毒されながら流出口３より外部に放流される。
【００２４】
前記濾過部７において、担体滞留部２０にＳＳ分が多く付着してろ過効率が低下したころに、図５（b）に示すように、逆洗管１７による散気により逆洗処理が行われる。この時、担体１３は、濾過部７のみならず担体流動部６をも相互に流動攪拌され、ＳＳ分が担体１３から分離される。
【００２５】
また、逆洗処理により担体流動部６と担体滞留部２０の担体１３は交換され、担体滞留部２０で付着した汚泥は担体流動部の対流によって剥離され、生物処理される。よって生物処理の効率を向上させることができるとともに、担体滞留部には汚泥が付着したままの担体が残ることがなく、濾過機能を適切に維持することができる。
【００２６】
その後、生物処理槽の下部に沈殿分離したＳＳ分は、返送管１９により第１嫌気濾床槽４に返送される。
【００２７】
逆洗処理の後は、担体滞留部に担体が溜まりだすが、担体流動部の循環流は仕切壁１４の下方を循環するので循環流に担体滞留部の乱れを引き起こす虞が少なく、逆洗終了後直ぐに担体滞留部に濾過槽が形成され、濾過機能を瞬時に復帰させることができる。
【００２８】
〔別実施形態〕
以下に他の実施の形態を説明する。
【００２９】
〈１〉  前記生物処理槽の上流には、嫌気濾床槽を設ける場合に限らず、他の処理槽を設けてもよく、例えば、沈殿分離槽を設けるものであってもよい。
〈２〉  前記生物処理槽には、上部に横方向に２区画に区切る仕切壁１４を生物処理槽の幅一杯に設けたが、仕切壁は図８のようにコの字状に設けてあっても良い。また、図９のように仕切壁を生物処理槽中央部に２枚設け、その対向する両側の壁面下部に散気管を設ける構成であってもよい。
〈３〉  前記生物処理槽において、浮上性の担体１３に代えて、被処理水よりも比重のやや大きい沈降性の担体１３を投入させてあっても良く、この場合、図６又は、図７に示すように、生物処理槽の下部に、仕切壁１４を配置して、上部を担体流動連通部１５に形成し、仕切壁１４で仕切られた一方側の区画に担体流動部６を他方側の区画に濾過部７を形成してある。従って、図６(a)（散気管１６の左右両側を仕切壁１４で仕切る場合）では、通常時の散気管１６からの曝気で、散気管１６の上方及び担体滞留部２０の上方で担体が流動し、逆洗管１７からの散気による逆洗時には、図６(b)に示すように、生物処理槽全体の担体１３が流動する。尚、担体滞留部２０の下部には、消毒槽８への排水部が連通接続してある。
〈４〉  前記生物処理槽の下部に設ける仕切壁１４は、図７(a)及び図７(b)に示すように、平面的に一側方に濾過部７が配設されるようにしてあってもよい。
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【符号の説明】
【００３０】
１      浄化槽
６      担体流動部
７      濾過部
１３    担体
１４    仕切壁
１５    担体流動連通部
１６    散気管
１７    逆洗管
１８    排水部
２０    担体滞留部
【図１】
2010201378.tif 000003
【図２】
2010201378.tif 000004
【図３】
2010201378.tif 000005
【図４】
2010201378.tif 000006
【図５】
2010201378.tif 000007
【図６】
2010201378.tif 000008
【図７】
2010201378.tif 000009
【図８】
2010201378.tif 000010
【図９】
2010201378.tif 000011